(57)【要約】【課題】ループアンテナがＩＣカード／タグと密着した状態においても、カード／タグが動作するために必要な電力が供給でき、データの送受信を可能にする非接触ＩＣカード／リーダライタ装置を提供する。【解決手段】非接触ＩＣカード／リーダライタ装置の本体からアンテナ１を介して非接触ＩＣカード／タグ４との通信を行う装置において、アンテナ１に内径ループパターン２と外径ループパターン３を備えたことを特徴とし、非接触ＩＣカード／タグ４にデータの送受信と電力の供給を行うためのアンテナ１の内径ループパターン２を非接触ＩＣカード／タグ４のループパターン形状より小さくすることにより、アンテナ１と非接触ＩＣカード／タグ４が密着した場合において、結合現象を緩和し、非接触ＩＣカード／タグ４へのデータの送受信と電力供給を可能とする。【選択図】図１
2006033429.tif 000002
【特許請求の範囲】
【請求項１】
非接触ＩＣカード／タグへのデータの送受信と電力の供給を行うループアンテナを有する非接触ＩＣカード／タグリーダライタ装置において、
前記ループアンテナは、第１のループアンテナと、前記第１のループアンテナより大きく形成された第２のループアンテナとから構成され、
前記第１のループアンテナと、前記第２のループアンテナとは、同一平面となるように配置されていることを特徴とする非接触ＩＣカード／タグリーダライタ装置。
【請求項２】
前記第１のループアンテナの大きさは、前記非接触ＩＣカード／タグに設けられたループアンテナより小さくしたことを特徴とする請求項１記載の非接触ＩＣカード／タグリーダライタ装置。
【発明の詳細な説明】
【技術分野】
【０００１】
本発明は、高周波利用設備における誘導式読み書き通信設備、または微弱電波で非接触ＩＣカード／タグと通信を行うことができる非接触ＩＣカード／タグリーダライタ装置に関する。
【背景技術】
【０００２】
高周波利用設備における誘導式読み書き通信設備または微弱電波（距離３ｍにおける電界強度が５００μＶ／ｍ以下）の非接触ＩＣカード／タグ通信システムのリーダライタ装置のアンテナは、金属または基板における銅箔パターンなどで形成されている。
【０００３】
このアンテナは、一定サイズ・形状のループアンテナで形成されており、ループの巻き方も均一なものが一般的である。このような非接触ＩＣカード／タグリーダライタ装置として、（特許文献１）に記載されたものがある。
【特許文献１】特開２００１−３１９１９２号公報
【発明の開示】
【発明が解決しようとする課題】
【０００４】
非接触ＩＣカード／タグ通信システムのリーダライタ装置は、アンテナの密着面からできるだけ遠方まで、非接触ＩＣカード／タグを認識し、非接触ＩＣカード／タグ内のデータを読み書きすることができるのが望ましい。
【０００５】
しかし、非接触ＩＣカード／タグのループアンテナ形状と非接触ＩＣカード／タグリーダライタ装置のループアンテナ形状が同等な形状の場合では、非接触ＩＣカード／タグが非接触ＩＣカード／タグリーダライタ装置のループアンテナに密着していると、非接触ＩＣカード／タグのループアンテナと非接触ＩＣカード／タグリーダライタ装置のループアンテナが結合してしまい、非接触ＩＣカード／タグが動作するために必要な電力供給が困難となり、非接触ＩＣカード／タグ内のデータを送受信することができない。
【０００６】
そこで本発明の目的は、ループアンテナがＩＣカード／タグと密着した状態においても、カード／タグが動作するために必要な電力が供給でき、データの送受信を可能にする非接触ＩＣカード／タグリーダライタ装置を提供することにある。
【課題を解決するための手段】
【０００７】
この課題を解決するために本発明の非接触ＩＣカード／タグリーダライタ装置は、非接触ＩＣカード／タグへのデータの送受信と電力の供給を行うループアンテナを有する非接触ＩＣカード／タグリーダライタ装置において、前記ループアンテナは、第１のループアンテナと、前記第１のループアンテナより大きく形成された第２のループアンテナとから構成され、前記第１のループアンテナと、前記第２のループアンテナとは、同一平面となるように配置されていることを特徴とする。
【発明の効果】
【０００８】
本発明によれば非接触ＩＣカード／タグと非接触ＩＣカード／タグリーダライタ装置が密着した場合において、結合現象を緩和し、非接触ＩＣカード／タグへのデータの送受信と電力供給を可能にすることができる。
【発明を実施するための最良の形態】
【０００９】
本発明の請求項１の発明は、非接触ＩＣカード／タグへのデータの送受信と電力の供給
を行うループアンテナを有する非接触ＩＣカード／タグリーダライタ装置において、ループアンテナは、第１のループアンテナと、第１のループアンテナより大きく形成された第２のループアンテナとから構成され、第１のループアンテナと、第２のループアンテナとは、同一平面となるように配置されていることを特徴としたものである。
【００１０】
非接触ＩＣカード／タグと非接触ＩＣカード／タグリーダライタ装置のアンテナとが密着していてもデータの送受信と電力供給が可能となる。
【００１１】
本発明の請求項２の発明は、第１のループアンテナの大きさは、非接触ＩＣカード／タグに設けられたループアンテナより小さくしたことを特徴としたものである。
【００１２】
第１のループアンテナの大きさは、非接触ＩＣカード／タグに設けられたループアンテナより小さくしたことにより、アンテナと非接触ＩＣカード／タグが密着しても、非接触ＩＣカード／タグのループアンテナと非接触ＩＣカード／タグリーダライタ装置とループアンテナの結合現象が緩和されるので、非接触ＩＣカード／タグへのデータの送受信と電力供給が可能となる。
【００１３】
以下、本発明の実施の形態について、図１を用いて説明する。図１は本発明の実施の形態に係る非接触ＩＣカード／タグリーダライタ装置のアンテナと、非接触ＩＣカード／タグとを示す図である。
【００１４】
（実施の形態１）
図１において、非接触ＩＣカード／タグリーダライタ装置のアンテナ１に非接触ＩＣカード／タグ４を接近させている状態である。
【００１５】
アンテナ１は、第１のループアンテナである内径ループパターン２と、第２のループアンテナである外径ループパターン３とで構成され、基板上に形成されている。
【００１６】
内径ループパターン２と外径ループパターン３を基板上に形成することで同一平面となるようにしている。
【００１７】
内径ループパターン２は、円形状または方形状に形成されている。そして外径ループパターン３の直径より小さく形成されている。そして内径ループパターン２と外径ループパターン３とは、そのループを形成する導体パターンが同心円となるように配置されている。
【００１８】
非接触ＩＣカード／タグ４には、非接触ＩＣカード／タグループアンテナ５が設けられている。
【００１９】
次に、このように構成された非接触ＩＣカード／タグリーダライタ装置のループアンテナについて、その動作を図１を用いて説明する。
【００２０】
図１において、図示しない非接触ＩＣカード／タグリーダライタ装置の本体からアンテナ１を介して、非接触ＩＣカード／タグ４と通信するために必要なデータと電力を供給するための電波を出力する。
【００２１】
このように、アンテナ１は、内径ループパターン２と外径ループパターン３で構成されており、同一平面となるように配置されているので、非接触ＩＣカード／タグ４と非接触ＩＣカード／タグリーダライタ装置とが密着する位置から遠方となる位置までデータの送受信と電力供給が可能である。
【００２２】
（実施の形態２）
図１に示すように、本発明の実施の形態２による非接触ＩＣカード／タグリーダライタ装置のアンテナ１は、第１のループアンテナである内径ループパターン２と、第２のループアンテナである外径ループパターン３で構成されている。
【００２３】
内径ループパターン２は、非接触ＩＣカード／タグループアンテナ５より小さくし、お互いのアンテナ同士が重ならないようにしている。
【００２４】
このように、内径ループパターン２は、非接触ＩＣカード／タグループアンテナ５より小さくし、お互いのアンテナ同士が重ならないようにすることで、結合現象を緩和し、非接触ＩＣカード／タグ４が動作するに必要な電力を供給することが可能であり、非接触ＩＣカード／タグ４にデータを送受信することが可能となる。
【産業上の利用可能性】
【００２５】
本発明は、高周波利用設備における誘導式読み書き通信設備、または微弱電波（距離３ｍにおける電界強度が５００μＶ／ｍ以下）で非接触ＩＣカード／タグと通信を行うことができる非接触ＩＣカード／タグリーダライタ装置に適用できる。
【図面の簡単な説明】
【００２６】
【図１】本発明の実施の形態に係る非接触ＩＣカード／タグリーダライタ装置のアンテナと、非接触ＩＣカード／タグとを示す図
【符号の説明】
【００２７】
１    アンテナ
２    内径ループパターン
３    外径ループパターン
４    非接触ＩＣカード／タグ
５    非接触ＩＣカード／タグループアンテナ
【図１】
2006033429.tif 000003